(57)【要約】【課題】所定範囲における通信環境状況を表示する通信状況表示装置を提供すること。【解決手段】所定範囲の予め定められた位置に複数設置され、近傍の端末３０と無線接続されるものであって、それぞれに設定された識別情報を接続された端末に送信して、所定範囲内で接続される端末の位置を特定するための近距離無線デバイス２４と、各端末から送信される接続された近距離無線デバイスの識別情報と、各端末におけるサーバ１０との通信状況に関する情報を取得して、各端末の通信状況を判定し、各端末の接続された近距離無線デバイスの識別情報と通信状況を対応付けて集計する通信状況集計部１０６と、集計された各端末に接続された近距離無線デバイスの識別情報と各端末の通信状況に基づき、所定範囲における通信状況地図画像を作成する通信状況表示制御部１０８とを、備える。【選択図】図２
2016096399.tif 000002
【特許請求の範囲】
【請求項１】
設置された無線中継機を介してサーバと端末が無線で接続される所定範囲の環境下で、前記サーバと前記端末との通信状況を表示する通信状況表示装置において、
前記所定範囲の予め定められた位置に複数設置され、近傍に存在する前記端末と無線接続されるものであって、それぞれに設定された識別情報を接続された前記端末に送信して、前記所定範囲内で前記接続される端末の位置を特定するための近距離無線デバイスと、
各端末から送信される接続された前記近距離無線デバイスの識別情報と、前記各端末における前記サーバとの通信状況に関する情報を取得して、前記各端末の通信状況を判定し、各端末の接続された近距離無線デバイスの識別情報と前記通信状況を対応付けて集計する通信状況集計部と、
前記集計された各端末に接続された近距離無線デバイスの識別情報と各端末の通信状況に基づき、接続された近距離無線デバイスの識別情報から各端末の位置を特定して、前記所定範囲における通信状況地図画像を作成し、作成した通信状況地図画像を表示させるよう制御する通信状況表示制御部とを、備える
ことを特徴とする通信状況表示装置。
【請求項２】
前記近距離無線デバイスは、前記端末の使用者が利用するテーブルに、使用者一人当たりのスペースに１つずつ設置される
ことを特徴とする請求項１に記載の通信状況表示装置。
【請求項３】
前記通信状況集計部は、前記サーバからの情報を受信した端末の受信時間と前記サーバに前記受信した情報に対応する送信を行った端末の送信時間との差分を端末の所要時間とし、前記サーバから前記情報を前記端末に送信したサーバの送信時間と前記端末からの前記情報に対する送信を受信したサーバの受信時間との差分をサーバの所要時間とし、前記サーバの所要時間と前記端末の所要時間の差分から、前記端末と前記サーバとの通信の往復時間を算出し、前記往復時間に基づき前記通信状況を判定する
ことを特徴とする請求項1に記載の通信状況表示装置。
【請求項４】
前記通信状況表示制御部は、前記端末の前記無線中継機との受信電波感度と前記往復時間の少なくもいずれかの情報を前記通信状況地図画像に加える
ことを特徴とする請求項１に記載の通信状況表示装置。
【請求項５】
前記通信状況表示制御部は、前記端末に前記通信状況地図画像を送信し、
前記端末には、送信された前記通信状況地図画像を画面に表示する通信状況表示部を備える
ことを特徴とする請求項１に記載の通信状況表示装置。
【請求項６】
前記テーブルに設けられた椅子に、前記近距離無線デバイスと接続された前記端末の使用者の着席を検出する着席検出部を備え、
前記通信状況集計部は、各端末の近距離無線デバイスの識別情報に対応して、前記近距離無線デバイスの設置位置に対応する椅子における着席情報を集計する
ことを特徴とする請求項１に記載の通信状況表示装置。
【請求項７】
前記通信状況表示制御部は、前記着席情報を加えた前記通信状況地図画像を作成する
ことを特徴とする請求項６に記載の通信状況表示装置。
【請求項８】
前記通信状況表示制御部は、前記無線中継機と前記端末とを結ぶ直線下に位置する椅子の着席状態に応じた、前記通信状況地図画像を作成する
ことを特徴とする請求項６に記載の通信状況表示装置。
【請求項９】
前記着席検出部は、前記テーブルの椅子に設けられる圧力センサーである
ことを特徴とする請求項６に記載の通信状況表示装置。
【請求項１０】
前記通信状況表示制御部は、前記所定範囲での前記端末の台数に応じた前記通信状況地図画像を作成する
ことを特徴とする請求項1に記載の通信状況表示装置。
【請求項１１】
前記サーバはせり制御用のサーバで、かつ前記端末はせり応札用の端末であって、
前記通信状況表示制御部は、せり会場外である前記所定範囲の通信状況地図画像を表示する
ことを特徴とする請求項1〜１０のいずれか1項に記載の通信状況表示装置。
【請求項１２】
設置された無線中継機を介してサーバと端末が無線で接続される所定範囲の環境下で、前記サーバと前記端末との通信状況を表示する通信状況表示方法において、
近傍に存在する前記端末と無線接続されるものであって、前記所定範囲内で前記接続される端末の位置を特定するために、前記所定範囲の予め定められた位置に複数設置された近距離無線デバイスから、接続された近距離無線デバイスの識別情報を接続された前記端末が受信する受信ステップと、
前記接続された近距離無線デバイスの識別情報を前記端末が前記サーバに送信する送信ステップと、
各端末から送信される端末に接続された前記近距離無線デバイスの識別情報と、前記各端末における前記サーバとの通信状況に関する情報を取得して、前記各端末の通信状況を判定し、各端末に接続された近距離無線デバイスの識別情報と各端末の通信状況を対応付けて集計する通信状況集計ステップと、
前記集計された各端末に接続された近距離無線デバイスの識別情報と各端末の通信状況に基づき、接続された近距離無線デバイスの識別情報から各端末の位置を特定して、前記所定範囲における通信状況地図画像を作成し、作成した通信状況地図画像を表示させるよう制御する通信状況表示制御ステップと、含む
ことを特徴とする通信状況表示方法。
【発明の詳細な説明】
【技術分野】
【０００１】
本発明は、所定領域内での端末の無線通信状況を表示する技術に関する。
【背景技術】
【０００２】
モバイル端末を利用した各種サービスが広がっている。モバイル端末を利用したサービスの１つに、中古車せりシステムがある。まず、モバイル端末を使用しない従来の中古車せりシステムを、図２６、図２７を参照して説明する。図２６は、従来の中古車せりシステムの全体図である。図２７は、従来のせりサーバと購買店端末の接続を説明する図である。
【０００３】
せりシステムは、せり人／調整人卓５０２、せりサーバ５００、大型表示器５０４．複数の購買店端末５１０から構成される。せり人／調整人卓５０２は、せり人／調整人が、せり進行制御やせりの調整を行う端末である。せり人／調整人卓５０２への入力が、せりサーバ５００に出力される。
【０００４】
せりサーバ５００は、せりシステムの全体をコントロールする制御部である。せりサーバ５００に、せり会場内に設置される大型表示器５０４や複数の購買店端末５１０が接続される。大型表示器５０４は、主に会員向けに、出品車の画像や現在価格等、せり中の各種情報を表示する。大型表示器５０４は、せりサーバ５００により制御される。
購買店端末５１０は、会員に提供されるせり応札用の端末である。購買店端末５１０は、会員一人一人に提供されるので、せり会場に数百〜数千台設置される。購買店端末５１０に会員から応札情報が入力されると、応札情報がせりサーバ５００に送信される。
せり人／調整人卓５０２より、せり人/調整人が出品車両のせり開始を指示すると、大型表示器５０４に現在価格が表示され、会員の応札ごとに設定された値幅分、現在価格が上昇し、出品者の希望価格を超えて最高額で応札した会員のみが落札できる。購買店端末５１０は、せり会場内の座席に固定されており、会員は座席に座って応札を行っていた。
【０００５】
図２７に示すように、せりサーバ５００は、Ｌ３スイッチ５０６を介して、大型表示器５０４と複数の購買店端末５１０に対して、各種せりデータの通信を行う。せりサーバ５００とＬ３スイッチ５０６間では、ＵＤＰマルチキャストでせり状況電文の通信が行われる。
【０００６】
せりサーバ５００は最小数十ms間隔で現在価格を含むせり状況電文を送信する。リアルタイムに現在価格表示、応札をするためである。Ｌ３スイッチ５０６から大型表示器５０４と複数の購買店端末５１０へは、せり状況電文がＵＤＰマルチキャストで送信される。回線負荷を抑え、各機器への電文到達時間差を小さくするためである。
【０００７】
購買店端末５１０からＬ３スイッチ５０６へは、せり応札電文がユニキャストで送信される。購買店端末５１０も最小数十ms間隔でせり応札電文をＬ３スイッチ５０６に送信する。
【０００８】
上述したように、購買店端末５１０は、せり会場内の座席に固定されているため、会員は座席に座って応札しなければならない。しかし、最近急激に普及したスマートフォンなどのモバイル端末を利用することで、会場外でも応札ができるシステムも開発されている。
【０００９】
図２８は、従来のモバイル端末による応札システムの例である。Ｌ３スイッチ５０６に無線ＬＡＮ基地局５０８が接続され、無線ＬＡＮ基地局５０８からせり状況電文が、ＵＤＰマルチキャストでモバイル端末５１２に無線通信される。モバイル端末５１２からのせり応札電文は、無線ＬＡＮ基地局５０８によりＬ３スイッチ５０６を介してせりサーバ５００に送信される。
【００１０】
モバイル端末５１２による応札が可能になることで会員の行動の自由度は広がるが、無線ＬＡＮ接続により、以下の問題が発生する。
（１）無線ＬＡＮ基地局５０８はマルチキャストを設定された伝送レートで送信し、マルチキャストの送信リトライをしないため、伝送レートを上げると無線ＬＡＮ基地局５０８から離れたモバイル端末５１２で電文が受信しにくくなる。
（２）無線ＬＡＮ基地局５０８へのモバイル端末５１２接続台数が増えるたびに、モバイル端末５１２へ送信する電文の遅延が大きくなってしまう。
【００１１】
そして、せりサーバ５００は、価格上昇中での一定値幅ズレ以内の応札は有効にするが、無線ＬＡＮ接続では、上記（１）（２）の問題により、応札の値幅ズレが大きくなってしまい、応札が無効になる頻度が高くなる問題がある。
【００１２】
一般的に無線通信は場所に応じて通信品質が変化するため、エリアでの通信品質情報を表示する技術が、提案されている。例えば、特許文献１には、複数の無線基地局と携帯端末の回線状況に基づいて、通信品質マップ情報を作成し、携帯端末に表示する装置が提案されている。
【先行技術文献】
【特許文献】
【００１３】
【特許文献１】特開２０１０−６２７８３号公報
【発明の概要】
【発明が解決しようとする課題】
【００１４】
せり会場以外の食堂や休憩室等の場所でも、安心して応札が可能になれば、会員にとって利便性が高まり、そのようなせり会場は人気が増すはずである。しかし、食堂や休憩室等の狭いエリアでの通信環境は、人の出入りあるいはモバイル端末の台数等によって、動的に変動するという問題がある。食堂や休憩室等でモバイル端末を積極的に活用してもらうためには、そのような狭いエリア環境での通信状況の情報を提供することが必要である。
【００１５】
本願発明は、上記課題に鑑み、所定範囲における通信環境状況を表示する通信状況表示装置を提供することを目的とする。
【課題を解決するための手段】
【００１６】
上記目的を達成するために、設置された無線中継機を介してサーバと端末が無線で接続される所定範囲の環境下で、前記サーバと前記端末との通信状況を表示する通信状況表示装置において、前記所定範囲の予め定められた位置に複数設置され、近傍に存在する前記端末と無線接続されるものであって、それぞれに設定された識別情報を接続された前記端末に送信して、前記所定範囲内で前記接続される端末の位置を特定するための近距離無線デバイスと、各端末から送信される接続された前記近距離無線デバイスの識別情報と、前記各端末における前記サーバとの通信状況に関する情報を取得して、前記各端末の通信状況を判定し、各端末の接続された近距離無線デバイスの識別情報と前記通信状況を対応付けて集計する通信状況集計部と、前記集計された各端末に接続された近距離無線デバイスの識別情報と各端末の通信状況に基づき、接続された近距離無線デバイスの識別情報から各端末の位置を特定して、前記所定範囲における通信状況地図画像を作成し、作成した通信状況地図画像を表示させるよう制御する通信状況表示制御部とを、備える。
【発明の効果】
【００１７】
本発明によれば、所定範囲における通信環境状況を表示する通信状況表示装置を提供することができる。
【図面の簡単な説明】
【００１８】
【図１】会員が利用する食堂の内部を示す図である。
【図２】せりシステムの構成を説明するためのブロック図である。
【図３】近距離無線通信部による処理の手順を説明するフローチャートである。
【図４】圧力センサー検出部による処理の手順を説明するフローチャートである。
【図５】ログイン処理部による処理の手順を説明するフローチャートである。
【図６】せり処理部による処理の手順を説明するフローチャートである。
【図７】モバイル端末のログイン画面である。
【図８】せり状況電文に基づきモバイル端末に表示される画面である。
【図９】ログイン制御部による処理の手順を説明するフローチャートである。
【図１０】せり制御部による処理の手順を説明するフローチャートである。
【図１１】往復時間の計算を説明する図である。
【図１２】通信状況集計部による処理の手順を説明するフローチャートである。
【図１３】着席状況テーブルの例である。
【図１４】通信状況一次テーブルの例である。
【図１５】通信状況テーブルの例である。
【図１６】各部の処理を、まとめて時系列で表したシーケンス図である。
【図１７】通信状況表示部による処理の手順を説明するフローチャートである。
【図１８】通信状況表示制御部による処理の手順を説明するフローチャートである。
【図１９】モバイル端末の画面に表示される通信状況地図画像の例である。
【図２０】平均受信電波感度を含む通信状況テーブルの例である。
【図２１】端末台数毎の通信状況テーブルである。
【図２２】端末台数が１０台の場合の通信状況地図画像である。
【図２３】端末台数が１１台の場合の通信状況地図画像である。
【図２４】端末台数が１２台の場合の通信状況地図画像である。
【図２５】他会員の影響有の地図作成時における、通信状況一次テーブルの例である。
【図２６】従来の中古車せりシステムの全体図である。
【図２７】従来のせりサーバと購買店端末の接続を説明する図である。
【図２８】従来のモバイル端末による応札システムの例である。
【発明を実施するための形態】
【００１９】
以下、図面に従って本発明の実施形態を説明する。以下では、モバイル端末を利用するサービスとして中古車せりを例にし、中古車せり会場に付設されたエリア（例えば、食堂や休憩室）の通信状況を、表示する例を説明する。
【００２０】
図１は、中古車せり会場に付設され、会員が利用する食堂の内部を示す図である。中古車せり会場に隣接して設置された食堂２０は、会員の食事や休憩に利用されるエリアである。
【００２１】
食堂２０には、テーブル２７と椅子２８が備品として、適当数配置される。食堂２０の天井には、モバイル端末との無線中継機として、１台以上の無線ＬＡＮ基地局２２が設置される。無線ＬＡＮ基地局２２は、ここでは、２台設置されるとする。無線ＬＡＮ基地局２２は、Ｌ３スイッチ１４を介して、せりシステム全体を制御するせりサーバ１０に接続される。Ｌ３スイッチ１４は、せりデータを購買店端末やモバイル端末に転送する処理を行う。
【００２２】
また、テーブル２７の前面あるいは底面に、近距離無線デバイス２４が設置される。近距離無線デバイス２４は、モバイル端末（端末とも略す）を持った会員の食堂２０内での位置を検出するためのものである。近距離無線デバイス２４は、一人一人に対応する間隔でテーブル２７に設置される。
【００２３】
また、各椅子２８の座面には、圧力センサー２６が設置される。圧力センサー２６は、会員が着席しているか否かを検出するためのものである。近距離無線デバイス２４だけでは、着席の判断はできないからである。近距離無線デバイス２４と圧力センサー２６とモバイル端末との通信の詳細については、後述する。
【００２４】
図２は、せりシステム１の構成を説明するためのブロック図である。せりシステム１は、せりサーバ１０、せり人／調整人卓１２、Ｌ３スイッチ１４、購買店端末１５、大型表示器１６を有する。
【００２５】
せりサーバ１０は、せりシステム１の全体をコントロールする制御部である。せりサーバ１０はＣＰＵ（不図示）を有し、所定の制御プログラムを読込んだＣＰＵにより制御処理が実行される。せりサーバ１０は、サーバルームに設置される。
【００２６】
せり調整処理部１３は、せり人／調整人卓１２に設けられ、せり人／調整人からのせり調整操作を、せりサーバ１０に出力する。せり人／調整人卓１２は、せり進行制御やせりの調整を行う端末である。
【００２７】
せりサーバ１０は、Ｌ３スイッチ１４を介して、購買店端末１５、大型表示器１６に接続される。購買店端末１５は、せり会場に設置され、会員に提供されるせり応札用の端末である。購買店端末１５は、会員一人一人に提供され、せり会場に数百〜数千台設置される。会員から応札情報が入力されると、購買店端末１５から応札情報がせりサーバ１０に送信される。購買店端末１５に表示部が設けられている場合には、せりサーバ１０から送信される出品車の画像や価格等のせり状況に関する情報が表示部に表示される。
【００２８】
大型表示器１６は、せり会場内に設置され、出品車の画像や現在価格等、せり中の各種情報を表示するものである。大型表示器１６は、せりサーバ１０により制御される。
【００２９】
せり人/調整人が、せり人／調整人卓１２より、出品車両のせり開始を指示すると、大型表示器１６に現在価格が表示され、会員の応札ごとに設定された値幅分、現在価格が上昇し、出品者の希望価格を超えて最高額で応札した会員に落札される。
【００３０】
せりシステム１は、さらに、無線ＬＡＮ基地局２２、モバイル端末３０、近距離無線デバイス２４、圧力センサー２６を有する。無線ＬＡＮ基地局２２は、Ｌ３スイッチ１４に接続され、モバイル端末３０と無線通信を行うものである。無線ＬＡＮ基地局２２は、食堂２０内に適当数設置される。
【００３１】
モバイル端末３０は、会員に所持され、せりサーバ１０から提供されるせり状況を表示し、せりサーバ１０に応札を行うものである。モバイル端末３０は、せり専用の端末でもよいし、せりシステム１専用のアプリが組み込まれたスマートフォンでもよい。
【００３２】
近距離無線デバイス２４は、食堂２０のテーブル２７の例えば底面や前面に設置され、食堂２０内での会員の位置を特定するためのものである。近距離無線デバイス２４は、例えばiBeacon（登録商標）などのデバイスである。モバイル端末３０は、Bluetooth（登録商標）などにより、接続された近距離無線デバイス２４との通信により、接続された近距離無線デバイス２４から近距離無線デバイス２４の識別情報として、設定された固有ＩＤを取得する。また、モバイル端末３０は、近距離無線デバイス２４との通信により、近距離無線デバイス２４との距離を確認することができる。
換言すれば、近距離無線デバイス２４は、所定範囲の予め定められた位置に複数設置され、近傍に存在するモバイル端末３０と無線接続されるものであって、それぞれに設定された識別情報を接続されたモバイル端末３０に送信して、所定範囲内で接続されるモバイル端末３０の位置を特定するためのものである。
【００３３】
テーブル２７に設置された各近距離無線デバイス２４には、前述の識別情報として、それぞれＩＤ（例えば、０００１、０００２・・・）が割り当てられる。モバイル端末３０と無線接続された近距離無線デバイス２４のＩＤを読み取ることで、接続されたモバイル端末３０の食堂２０内での位置を特定することができる。なお、近距離無線デバイスの距離情報として、例えば、１０ｃｍ以内を近距離、２ｍ以内を中距離、５ｍ以内を遠距離などとして予め設定しておいてもよい。
【００３４】
圧力センサー２６は、椅子２８の座面（背もたれでも可）に設けられ、所定以上の圧力を検出した場合に、着席検知信号（着席フラグと呼ぶ）をモバイル端末３０に無線で送信する。圧力センサー２６にも、食堂２０内での位置を特定するため専用のｉｄが割り当てられ、圧力センサー２６は、着席フラグとともにｉｄをモバイル端末３０に送信する。近距離無線デバイス２４のＩＤと区別するため小文字でｉｄと表現する。
【００３５】
なお、圧力センサー２６と近距離無線デバイス２４は1対１で対応し、近距離無線デバイス２４と圧力センサー２６は同じ座席に関する情報であるから、圧力センサー２６を識別するためのｉｄは、近距離無線デバイス２４のＩＤと同じ番号に設定してもよい。圧力センサー２６の情報にｉｄを付加することによって、近くにある別な椅子からの着席フラグ信号を誤って取得することが防止される。
【００３６】
図２の左下は、食堂２０内の１つのテーブル２７を上から見た図である。テーブル２７の例として、６人掛けタイプを示す。テーブル２７の左右に、椅子２８が３つずつ配置される。テーブル２７で６人の使用位置の底面に、近距離無線デバイス２４が１つずつ設置される。そして、対応する６つの椅子２８にそれぞれ圧力センサー２６が設けられる。
【００３７】
せりサーバ１０は、ログイン制御部１０２、せり制御部１０４、通信状況集計部１０６、通信状況表示制御部１０８、記憶部１１０を有する。ログイン制御部１０２、せり制御部１０４、通信状況集計部１０６及び通信状況表示制御部１０８は、ＣＰＵにより実行される処理である。
【００３８】
ログイン制御部１０２は、購買店端末１５あるいはモバイル端末３０から入力された会員番号とパスワードの確認を行い、ログインの可否を判断し、その結果を購買店端末１５あるいはモバイル端末３０に送信するものである。また、ログイン制御部１０２は、ログイン時に、モバイル端末３０から近距離無線デバイス２４のＩＤと距離の情報（まとめて、Ｄａｔａ  Ａと称す）、あるいは圧力センサー２６のｉｄと着席フラグの情報（まとめて、Ｄａｔａ  Ｂと称す）を受信した場合には、その情報を通信状況集計部１０６に通知する。
【００３９】
せり制御部１０４は、現在せりが行われている車両のせり状況電文をモバイル端末３０等に送信するものである。せり制御部１０４は、ログイン制御部１０２によりログインが許可されると、せり状況電文をモバイル端末３０等に送信する。
【００４０】
せり制御部１０４は、モバイル端末３０等から送信されたせり応札電文の現在価格が設定値幅以内であれば、その応札を有効として現在価格を１値幅分増加させ、最も高額で応札した会員番号を保持する。せり人/調整人が予め入力した出品者の希望価格がせり調整処理部１３からせり制御部１０４に設定されていて、せり制御部１０４は希望価格を超えて、最も高額で応札した会員番号を落札者とする。
【００４１】
また、せり制御部１０４は、モバイル端末３０との電文の往復時間を算出して、通信状況集計部１０６に通知する。せり制御部１０４は、モバイル端末３０からＤａｔａ  ＡやＤａｔａ  Ｂを受信した場合には、その情報を通信状況集計部１０６に通知する。
【００４２】
通信状況集計部１０６は、毎回のせりで得られたＩＤ、距離情報、着席フラグ、出品番号、往復時間を、後述する通信状況一次テーブル１１０ｃに保存する。
【００４３】
通信状況表示制御部１０８は、通信状況テーブル１１０ｄの各ＩＤに対応する通信状況値から、食堂の通信状況地図画像を作成するものである。通信状況表示制御部１０８は、予め用意されたベースとなる食堂地図画像に、近距離無線デバイスのＩＤの対応する位置に通信状況値のマークを書き込んで、食堂の通信状況地図画像を作成する。
【００４４】
また、通信状況表示制御部１０８は、後述する着席状況テーブル１１０ｅからＩＤに対応する着席フラグを取得、通信状況地図画像の対応するＩＤの椅子２８(圧力センサー)の位置に着席表示を行う。通信状況表示制御部１０８は、作成した通信状況地図画像をモバイル端末３０に送信する。
【００４５】
記憶部１１０は、ＣＰＵにより実行される所定の制御プログラムや各種データやテーブルを格納する、例えば、ＨＤＤである。特に、記憶部１１０は、通信状況地図画像の表示に当たり、会員テーブル１１０ａ、位置テーブル１１０ｂ、通信状況一次テーブル１１０ｃ、通信状況テーブル１１０ｄ、着席状況テーブル１１０ｅを格納する。
【００４６】
会員テーブル１１０ａは、会員番号とパスワードが保存されたテーブルである。会員テーブル１１０ａは、ログイン時にログイン制御部１０２により読み出されて、入力された会員番号とパスワードと対比される。位置テーブル１１０ｂは、会員番号に対するＩＤ、距離情報、着席フラグを書き込まれるテーブルである。
【００４７】
通信状況一次テーブル１１０ｃは、通信状況集計部１０６により集計された、毎回のせりで得られたＩＤ、距離情報、着席フラグ、出品番号、往復時間が保存されるテーブルである。通信状況一次テーブル１１０ｃは、図１４で後述する。通信状況テーブル１１０ｄは、通信状況一次テーブル１１０ｃから前回のせりで保存されＩＤごとにまとめられた往復時間と、往復時間から算出された通信状況値が、ＩＤごとにまとめられたテーブルである。通信状況テーブル１１０ｄは、図１５で後述する。着席状況テーブル１１０ｅは、通信状況集計部１０６により集計されたＩＤに対する着席フラグをまとめたテーブルである。着席状況テーブル１１０ｅは、図１３で後述する。
【００４８】
このように、通信状況集計部１０６は、各モバイル端末３０から送信される接続された近距離無線デバイス２４の識別情報（食堂２０内での位置を特定する情報）と、各モバイル端末３０におけるせりサーバ１０との通信状況に関する情報を取得して、各モバイル端末３０の接続された近距離無線デバイス２４の識別情報と各モバイル端末３０の通信状況を対応付けて集計するものである。
【００４９】
そして、通信状況表示制御部１０８は、集計された各モバイル端末３０に接続された近距離無線デバイス２４の識別情報と各モバイル端末３０の通信状況に基づき、接続された近距離無線デバイス２４の識別情報から各モバイル端末３０の位置を特定して、所定範囲における通信状況地図画像を作成し、作成した通信状況地図画像を表示させるよう制御するものである。
【００５０】
モバイル端末３０は、ログイン処理部３００、せり処理部３０２、通信状況表示部３０４、  近距離無線通信部３０６、圧力センサー検出部３０８を有する。なお、ログイン処理部３００、せり処理部３０２、通信状況表示部３０４、近距離無線通信部３０６、圧力センサー検出部３０８の各部は、モバイル端末３０に設けられたＣＰＵによるソフトウェア処理で、主に実現されてもよい。
【００５１】
ログイン処理部３００は、せりへの参加時に、会員から入力された会員番号とパスワードをログイン制御部１０２に送信するものである。
【００５２】
せり処理部３０２は、せり制御部１０４から送信されたせり状況電文に含まれる出品番号、現在価格、せり状況等を画面に表示する。通信状況表示部３０４は、通信状況表示制御部１０８により作成されて、送信されてきた通信状況地図画像を画面に表示する。
【００５３】
近距離無線通信部３０６は、近距離無線デバイス２４と通信を行い、接続された近距離無線デバイス２４のＩＤと、近距離無線デバイス２４との距離を検出する。近距離無線通信部３０６は、複数の近距離無線デバイス２４が検出された場合には、最も距離の近い近距離無線デバイス２４を接続先として選択する。近距離無線通信部３０６は、接続された近距離無線デバイス２４のＩＤと距離（Ｄａｔａ Ａ）を、ログイン処理部３００またはせり処理部３０２に通知する。
【００５４】
圧力センサー検出部３０８は、テーブル２７に付帯して設けられた椅子２８に、近距離無線デバイス２４と接続されたモバイル端末３０の使用者の着席を検出するものである。圧力センサー検出部３０８は、着席検出部とも称す。
【００５５】
圧力センサー検出部３０８は、圧力センサー２６と無線で通信して、圧力センサー２６の識別情報であるｉｄ及び着席の有無を示す着席フラグを検出する。圧力センサー検出部３０８は、検出したｉｄと着席フラグ（Ｄａｔａ Ｂ）をログイン処理部３００またはせり処理部３０２に通知する。圧力センサー検出部３０８は、近距離無線デバイス２４のＩＤに対応するｉｄの着席フラグのみ、有効とする。
【００５６】
以上のように、せりシステム１において、設置された無線ＬＡＮ基地局２２を介してせりサーバ１０とモバイル端末３０が無線で接続される所定範囲の環境下で、主に近距離無線デバイス２４、通信状況集計部１０６及び通信状況表示制御部１０８によって、せりサーバ１０とモバイル端末３０との通信状況が、モバイル端末３０に表示される。近距離無線デバイス２４、通信状況集計部１０６及び通信状況表示制御部１０８を通信状況表示装置とも呼ぶ。
【００５７】
〈モバイル端末からのＩＤや着席フラグの送信処理〉
次に、通信状況地図画像の表示処理につき、詳細を説明する。まず、図３〜図７を用いて、モバイル端末３０からのＩＤや着席フラグの送信処理を説明する。
【００５８】
図３は、モバイル端末３０の近距離無線通信部３０６による処理の手順を説明するフローチャートである。近距離無線通信部３０６は、以下の処理を一定間隔（例えば、１ｓｅｃ）で繰り返す。
【００５９】
近距離無線通信部３０６は、ログイン処理部３００からの終了指示（ログオフ）があるかを判断する（ステップＳ１０）。近距離無線通信部３０６は、ログイン処理部３００からの終了指示があったと判断すると（ステップＳ１０Ｙｅｓ）、処理を終了する。
【００６０】
近距離無線通信部３０６は、ログイン処理部３００からの終了指示がないと判断すると（ステップＳ１０Ｎｏ）、近距離無線デバイス２４のＩＤと距離を取得する（ステップＳ１２）。近距離無線通信部３０６は、取得したＩＤと距離を、Ｄａｔａ Ａとして保存し（ステップＳ１４）、ステップＳ１０に戻る。
【００６１】
図４は、モバイル端末３０の圧力センサー検出部３０８による処理の手順を説明するフローチャートである。圧力センサー検出部３０８は、以下の処理を一定間隔（例えば、１ｓｅｃ）で繰り返す。
【００６２】
圧力センサー検出部３０８は、ログイン処理部３００からの終了指示があるかを判断する（ステップＳ２０）。圧力センサー検出部３０８は、ログイン処理部３００からの終了指示があったと判断すると（ステップＳ２０Ｙｅｓ）、処理を終了する。
【００６３】
圧力センサー検出部３０８は、ログイン処理部３００からの終了指示がないと判断すると（ステップＳ２０Ｎｏ）、圧力センサー２６のｉｄと着席フラグを取得する（ステップＳ２２）。圧力センサー検出部３０８は、取得したｉｄと着席フラグを、Ｄａｔａ Ｂとして保存し（ステップＳ２４）、ステップＳ２０に戻る。
【００６４】
図５は、モバイル端末３０のログイン処理部３００による処理の手順を説明するフローチャートである。ログイン処理部３００は、イベントを判断する（ステップＳ３０）。ログイン処理部３００は、イベントとして会員からモバイル端末３０へ終了指示がされたと判断すると、処理を終了する。
【００６５】
ログイン処理部３００は、会員番号とパスワードを入力後、ログインボタンを押下されるイベントがあると、以下のログイン処理を開始する。図７は、モバイル端末３０のログイン画面である。
【００６６】
ログイン処理部３００は、入力された会員番号（Ｍｅｍｂｅｒ  ＩＤ）を取得、保存する（ステップＳ３２）。ログイン処理部３００は、ステップＳ１４で今回保存されたＤａｔａ Ａと前回のＤａｔａ Ａ（区別のため、以下で、前回のデータをＤａｔａ ａと表現する）は異なるかを判断する（ステップＳ３４）。Ｄａｔａ Ａは、前述のように近距離無線デバイス２４のＩＤと距離の情報である。
【００６７】
ログイン処理部３００は、今回のＤａｔａ Ａと前回のＤａｔａ ａが同じであると判断すると（ステップＳ３４Ｎｏ）、ステップＳ４０に進む。ログイン処理部３００は、今回のＤａｔａ Ａと前回のＤａｔａ ａは異なると判断すると（ステップＳ３４Ｙｅｓ）、せりサーバ１０に送信するログイン要求電文に今回のＤａｔａ Ａを付加する（ステップＳ３６）。ログイン処理部３００は、今回のＤａｔａ ＡをＤａｔａ ａとして保存する（ステップＳ３８）。なお、ログイン処理部３００は、Ｄａｔａ ａがない場合、つまりＤａｔａ Ａが初回のデータである場合には、ステップＳ３４Ｙｅｓと判断する。
【００６８】
ログイン処理部３００は、ステップＳ２４で今回保存されたＤａｔａ Ｂと前回のＤａｔａ Ｂ（区別のため、Ｄａｔａ ｂと表現する）は異なるかを判断する（ステップＳ４０）。Ｄａｔａ Ｂは、圧力センサー２６のｉｄと着席フラグの情報である。
【００６９】
ログイン処理部３００は、今回のＤａｔａ Ｂと前回のＤａｔａ bが同じであると判断すると（ステップＳ４０Ｎｏ）、ステップＳ４６に進む。ログイン処理部３００は、今回のＤａｔａ Ｂと前回のＤａｔａ ｂは異なると判断すると（ステップＳ４０Ｙｅｓ）、せりサーバ１０に送信するログイン要求電文に今回のＤａｔａ Ｂを付加する（ステップＳ４２）。
【００７０】
ログイン処理部３００は、今回のＤａｔａ ＢをＤａｔａ ｂとして保存する（ステップＳ４４）。なお、ログイン処理部３００は、Ｄａｔａ ｂがない場合、つまりＤａｔａ Ｂが初回のデータである場合にも、ステップＳ４０Ｙｅｓと判断する。
【００７１】
ログイン処理部３００は、Ｍｅｍｂｅｒ ＩＤを含めて、せりサーバ１０のログイン制御部１０２にログイン要求電文を送信して（ステップＳ４６）、ステップＳ３０に戻る。ログイン処理部３００は、Ｄａｔａ Ａや Ｄａｔａ Ｂに変化が有った場合に限り、Ｄａｔａ Ａや Ｄａｔａ Ｂを付加するようにして、通信速度の低下を防止する。
【００７２】
図６は、モバイル端末３０のせり処理部３０２による処理の手順を説明するフローチャートである。せり処理部３０２は、イベントを判断する（ステップＳ５０）。せり処理部３０２は、イベントとして会員からモバイル端末３０へ終了指示がされたと判断すると、処理を終了する。
【００７３】
せり処理部３０２は、イベントが電文受信の場合には、せりサーバ１０のせり制御部１０４から送信されたせり状況電文を受信する（ステップＳ５２）。図８は、受信したせり状況電文に基づき、モバイル端末３０に表示される画面である。さらに、せり処理部３０２は、せり状況電文の受信時刻をＴｉｍｅ Ｂに保存して（ステップＳ５４）、ステップＳ５０に戻る。
【００７４】
せり処理部３０２は、イベントが応札ボタンが押されたことによるせり応札電文送信の場合には、ステップＳ１４で今回取得されたＤａｔａ Ａと前回のＤａｔａ ａは異なるかを判断する（ステップＳ５６）。
【００７５】
せり処理部３０２は、今回のＤａｔａ Ａと前回のＤａｔａ ａが同じであると判断すると（ステップＳ５６Ｎｏ）、ステップＳ６２に進む。せり処理部３０２は、今回のＤａｔａ Ａと前回のＤａｔａ ａは異なると判断すると（ステップＳ５６Ｙｅｓ）、せりサーバ１０に送信するせり応札電文に、今回のＤａｔａ Ａを付加する（ステップＳ５８）。せり処理部３０２は、今回のＤａｔａ ＡをＤａｔａ ａとして保存する（ステップＳ６０）。
【００７６】
せり処理部３０２は、ステップＳ２４で今回取得されたＤａｔａ Ｂと前回のＤａｔａ ｂは異なるかを判断する（ステップＳ６２）。せり処理部３０２は、今回のＤａｔａ Ｂと前回のＤａｔａ ｂが同じであると判断すると（ステップＳ６２Ｎｏ）、ステップＳ６８に進む。
【００７７】
せり処理部３０２は、今回のＤａｔａ Ｂと前回のＤａｔａ ｂは異なると判断すると（ステップＳ６２Ｙｅｓ）、せりサーバ１０に送信するせり応札電文に今回のＤａｔａ Ｂを付加する（ステップＳ６４）。せり処理部３０２は、今回のＤａｔａ ＢをＤａｔａ ｂとして保存する（ステップＳ６６）。
【００７８】
せり処理部３０２は、せり状況電文送信前の時刻Ｔｉｍｅ Ｃを取得し、応札時間差Ｄｉｆｆ  Ｔｉｍｅ=Ｔｉｍｅ Ｃ−Ｔｉｍｅ Ｂ  を計算する（ステップＳ６８）。せり処理部３０２は、せり応札電文に、応札時間差Ｄｉｆｆ Ｔｉｍｅを付加する（ステップＳ７０）。
【００７９】
せり処理部３０２は、Ｍｅｍｂｅｒ ＩＤを含めて、せりサーバ１０のせり制御部１０４にせり応札電文を送信して（ステップＳ７２）、ステップＳ５０に戻る。Ｄａｔａ Ａや Ｄａｔａ Ｂ等に変化が有った場合に限り、せり応札電文にＤａｔａ Ａや Ｄａｔａ Ｂを付加するようにして、通信速度の低下を防止する。
【００８０】
〈せりサーバによる通信状況値等の算出処理〉
次に、図９〜図１３を用いて、せりサーバ１０による通信状況値等の算出処理を説明する。図９は、せりサーバ１０のログイン制御部１０２による処理の手順を説明するフローチャートである。ログイン制御部１０２は、イベントを判断する（ステップＳ１００）。ログイン制御部１０２は、イベントとして、せり調整処理部１３から終了指示がされたと判断すると、処理を終了する。
【００８１】
ログイン制御部１０２は、イベントが電文受信の場合には、モバイル端末３０のログイン処理部３００から送信されたログイン要求電文を受信する（ステップＳ１０２）。ログイン制御部１０２は、会員テーブル１１０ａを参照して、送信された会員番号、パスワードを照合する（ステップＳ１０４）。
【００８２】
ログイン制御部１０２は、ログイン要求電文にＤａｔａ Ａ、Ｄａｔａ Ｂが付加されていれば会員番号とともに通信状況集計部１０６に通知する（ステップＳ１０６）。これが、通信状況集計部１０６への位置通知イベント（後述する図１２のステップＳ１３２）となる。ログイン制御部１０２は、ステップＳ１００に戻る。
【００８３】
図１０は、せりサーバ１０のせり制御部１０４による処理の手順を説明するフローチャートである。せり制御部１０４は、イベントを判断する（ステップＳ１１０）。せり制御部１０４は、イベントとして、せり調整処理部１３から終了指示がされたと判断すると、処理を終了する。
【００８４】
せり制御部１０４は、イベントが電文送信の場合には、モバイル端末３０のせり処理部３０２にせり状況電文を送信する（ステップＳ１１２）。せり制御部１０４は、送信時刻をＴｉｍｅ Ａに保存し（ステップＳ１１４）、ステップＳ１１０に戻る。
【００８５】
せり制御部１０４は、イベントが電文受信の場合には、モバイル端末３０のせり処理部３０２から送信されたせり応札電文を受信する（ステップＳ１１６）。せり制御部１０４は、せり応札電文の受信時刻をＴｉｍｅ Ｄに保存する（ステップＳ１１８）。せり制御部１０４は、せり応札電文にＤａｔａ Ａ、Ｄａｔａ Ｂが付加されていれば会員番号とともに通信状況集計部１０６に通知する（ステップＳ１２０）。これが、通信状況集計部１０６への位置通知イベント（図１２のステップＳ１３２）となる。
【００８６】
せり制御部１０４は、往復時間Ｒｏｕｎｄ Ｔｒｉｐ＝Ｔｉｍｅ Ａ−Ｔｉｍｅ Ｄ−Ｄｉｆｆ Ｔｉｍｅを計算する（ステップＳ１２２）。Ｄｉｆｆ Ｔｉｍｅは、前述したステップＳ６８でせり処理部３０２から送信される。
【００８７】
図１１は、往復時間Ｒｏｕｎｄ Ｔｒｉｐの計算を説明する図である。図１１からわかるように、往復時間Ｒｏｕｎｄ Ｔｒｉｐは、せり状況電文の通信時間とせり応札電文の通信時間の合計である。往復時間Ｒｏｕｎｄ Ｔｒｉｐは、せり制御部１０４での差分とせり処理部３０２での差分に基づき算出される値であるので、せりサーバ１０とモバイル端末３０間でタイマ値が、ずれていても問題がない。
【００８８】
せり制御部１０４は、会員番号、出品番号とともにＲｏｕｎｄ Ｔｒｉｐを通信状況集計部１０６に通知する（ステップＳ１２４）。これが、通信状況集計部１０６への通信状況通知イベント（図１２のステップＳ１３８）となる。せり制御部１０４は、ステップＳ１１０に戻る。
【００８９】
図１２は、せりサーバ１０の通信状況集計部１０６による処理の手順を説明するフローチャートである。通信状況集計部１０６は、イベントを判断する（ステップＳ１３０）。せり制御部１０４は、イベントとして、せり調整処理部１３から終了指示がされたと判断すると、処理を終了する。
【００９０】
通信状況集計部１０６は、イベントが位置通知イベントの場合には、ログイン電文に含まれる「会員番号に対するＩＤ、距離情報、着席フラグ」に基づき、位置テーブル１１０ｂを更新する（ステップＳ１３２）。
【００９１】
通信状況集計部１０６は、通知内容にＤａｔａ Ｂがあるかを判断する（ステップＳ１３４）。通信状況集計部１０６は、通知内容にＤａｔａ Ｂがあると判断すると（ステップＳ１３４Ｙｅｓ）、着席状況テーブル１１０ｅを更新する（ステップＳ１３６）。
【００９２】
図１３は、着席状況テーブル１１０ｅの例である。各ＩＤ（００００１、００００２、００００３）に対する着席の有無が書込まれる。着席フラグ「１」は、着席状態を示す。通信状況集計部１０６は、通知内容にＤａｔａ Ｂがないと判断すると（ステップＳ１３４Ｎｏ）、ステップＳ１３０に戻る。
【００９３】
通信状況集計部１０６は、イベントが通信状況通知イベントの場合には、通知内容の会員番号に対応する「ＩＤ、距離情報、着席フラグ」を位置テーブル１１０ｂから取得する（ステップＳ１３８）。
【００９４】
通信状況集計部１０６は、通信状況一次テーブル１１０ｃに、「ＩＤ、距離情報、会員番号、出品番号、往復時間(Ｒｏｕｎｄ Ｔｒｉｐ)、着席フラグ」を書き込む（ステップＳ１４０）。つまり、通信状況集計部１０６は、位置テーブル１１０ｂから取得したログイン電文の「ＩＤ、距離情報、着席フラグ」に、せり応札電文に含まれる「ＩＤ、距離情報、会員番号、出品番号、往復時間(Ｒｏｕｎｄ Ｔｒｉｐ)、着席フラグ」を加えて、通信状況一次テーブル１１０ｃを作成する。
【００９５】
図１４は、通信状況一次テーブル１１０ｃの例である。上から順に、取得されたデータが時系列に並べられる。図１４で登場する会員は、３名（1234567890、2345678901、3456789012）である。会員番号1234567890の会員が、食堂内のＩＤ：００００１に相当するテーブル２７の位置に座っている。同様に、会員番号2345678901の会員がＩＤ：００００２の位置に、会員番号3456789012の会員がＩＤ：００００３の位置に、座っている。
【００９６】
通信状況一次テーブル１１０ｃの「距離情報」は、モバイル端末３０と近距離無線デバイス２４の距離を示す情報である。「出品番号」は、現にせりにかけられている中古車の番号である。「現在価格」は、現在のせり価格である。「往復時間」は、前述のＲｏｕｎｄ Ｔｒｉｐである。「台数」は、現在食堂２０内で接続中のモバイル端末の台数である。
【００９７】
「受信電波感度（ｄＢｍ）」は、オプションとして加えられる項目で、モバイル端末３０の無線ＬＡＮ基地局２２との通信時の電波感度である。受信電波感度のデータは、距離情報等と同様に、ログイン処理部３００とせり処理部３０２によって、送信されるログイン電文やせり応札電文に加えられる。また、「着席フラグ」は、位置テーブル１１０ｂのデータが利用される。着席状態を「１」で示す。図１４の例では、３人の会員が全て着席していることを示す。
【００９８】
現出品が落札された場合には、せり調整処理部１３に次出品への切換え操作が行われる。せり調整処理部１３から、せり制御部１０４に出品要求電文が通知される。せり制御部１０４は、出品要求電文を受けると、次出品のせり状況電文をモバイル端末３０に送信すると共に、次出品要求イベントを通信状況集計部１０６に通知する。
【００９９】
通信状況集計部１０６は、イベントが次出品要求イベントの場合には、通信状況一次テーブル１１０ｃについて、過去の出品番号を対象としてＩＤごとに通信状況値と平均往復時間を求める（ステップＳ１４２）。通信状況値は、予め定めた往復時間の許容値以内で通信することのできた回数をパーセントで示すものである。平均往復時間は、各往復時間(Ｒｏｕｎｄ Ｔｒｉｐ)の平均時間である。通信状況集計部１０６は、通信状況値と平均往復時間を算出して、算出した通信状況値と平均往復時間を通信状況テーブル１１０ｄに書き込む（ステップＳ１４４）。
【０１００】
図１５は、通信状況テーブル１１０ｄの例である。図１５の通信状況テーブル１１０ｄは、図１３で示した通信状況一次テーブル１１０ｃの各値から算出されたものである。
【０１０１】
通信状況集計部１０６は前回の出品番号４５６より過去の出品番号を対象としてＩＤごとの通信状況値を集計して、通信状況テーブル１１０ｄに保存する。通信状況値は以下のように算出される。まず、前述した往復時間の許容値を１００ｍｓとする。会員1234567890のＩＤ：００００１では３回応札中３回とも許容値以内なので、通信状況値＝１００％と算出される。また、会員2345678901のＩＤ：００００２では３回応札中２回が許容値以内なので６６％、会員3456789012のＩＤ：００００３では３回応札中1回が許容値以内なので３３％と算出される。
【０１０２】
通信状況集計部１０６は、往復時間を平均して、平均往復時間を算出する。ＩＤ：００００１であれば、（７０＋５０＋６０）／３＝６０となる。ＩＤ：００００２、００００３についても同様である。
【０１０３】
図１６は、図３〜１５までで説明した各部の処理を、まとめて時系列で表したシーケンス図である。既に説明した内容であるので、簡単に説明する。
【０１０４】
ログインボタンが押下されると（Ｔ１０）、ログイン処理部３００は、ログイン要求電文をログイン制御部１０２に送信する（Ｔ１２）。図５で説明した処理である。ログイン制御部１０２は、ログイン要求電文にＩＤや距離等が付加されていれば、位置通知イベントを通信状況集計部１０６に通知する（Ｔ１４）。図９のステップＳ１０６の処理である。
【０１０５】
せり制御部１０４は、せり状況電文をせり処理部３０２に送信する（Ｔ１６）。図１０のステップＳ１１２の処理である。通信状況集計部１０６は、ｉｄや着席フラグが付加されていれば、着席状況テーブル１１０ｅを更新する（Ｔ１８）。図１２のステップＳ１３６の処理である。
【０１０６】
応札ボタンが押下されると（Ｔ２０）、せり処理部３０２は、せり応札電文をせり制御部１０４に送信する（Ｔ２２）。図６のステップＳ７０の処理である。せり制御部１０４は、せり応札電文にＩＤや距離等が付加されていれば、位置通知イベントを通信状況集計部１０６に通知する（Ｔ２４）。図１０のステップＳ１２０の処理である。通信状況集計部１０６は、ｉｄや着席フラグが付加されていれば、着席状況テーブル１１０ｅを更新する（Ｔ２６）。図１２のステップＳ１３６の処理である。
【０１０７】
せり制御部１０４は、往復時間(Ｒｏｕｎｄ Ｔｒｉｐ)を含む通信状況通知イベントを通信状況集計部１０６に通知する（Ｔ２８）。図１０のステップＳ１２４の処理である。通信状況集計部１０６は、通信状況一次テーブル１１０ｃに書込みを行う（Ｔ３０）。図１２のステップＳ１４０の処理である。せり制御部１０４は、せり状況電文をせり処理部３０２に送信する（Ｔ３２）。図１０のステップＳ１１２の処理である。
【０１０８】
再度応札ボタンが押下されると（Ｔ３４）、せり応札電文の送信（Ｔ３６）、位置通知イベントの通知（Ｔ３８）、着席状況テーブル１１０ｅの更新（Ｔ４０）、通信状況通知イベントの通知（Ｔ４２）、通信状況一次テーブル１１０ｃへの書込み（Ｔ４４）の一連の処理が繰り返される。
【０１０９】
次出品操作がせり調整処理部１３に行われると（Ｔ４６）、せり調整処理部１３は出品要求電文をせり制御部１０４に送信する（Ｔ４８）。せり制御部１０４は、次出品要求イベントを通信状況集計部１０６に通知する（Ｔ５０）。通信状況集計部１０６は、通信状況テーブル１１０ｄへ書込みを行う（Ｔ５２）。図１２のステップＳ１４４の処理である。
【０１１０】
〈通信状況地図画像の表示処理〉
図１７は、モバイル端末３０の通信状況表示部３０４による処理の手順を説明するフローチャートである。通信状況表示部３０４は、イベントを判断する（ステップＳ１５０）。通信状況表示部３０４は、イベントとして、ログイン処理部３００等から終了指示がされたと判断すると、処理を終了する。
【０１１１】
通信状況表示部３０４は、会員より通信状況表示指示がされると、通信状況表示制御部１０８へ通信状況表示要求を送信する（ステップＳ１５２）。通信状況表示部３０４は、通信状況表示制御部１０８から送信された通信状況地図画像を受信し（ステップＳ１５４）、画面に通信状況地図画像を表示する（ステップＳ１５６）。
【０１１２】
図１８は、せりサーバ１０の通信状況表示制御部１０８による処理の手順を説明するフローチャートである。通信状況表示制御部１０８は、イベントを判断する（ステップＳ１６０）。通信状況表示制御部１０８は、イベントとして、終了指示がされたと判断すると、処理を終了する。
【０１１３】
通信状況表示制御部１０８は、イベントがモバイル端末３０からの電文受信の場合には、通信状況表示要求を受信する（ステップＳ１６２）。通信状況表示制御部１０８は、通信状況テーブル１１０ｄから全てのＩＤに対する通信状況値、平均往復時間を取得する（ステップＳ１６４）。通信状況表示制御部１０８は、着席状況テーブル１１０ｅから全てのＩＤに対する着席フラグを取得する（ステップＳ１６６）。
【０１１４】
通信状況表示制御部１０８は、予め用意したベースとなる通信状況地図画像に、通信状況値、着席状態及び平均往復時間等を書き込む（ステップＳ１６８）。
【０１１５】
図１９は、モバイル端末３０の画面に表示される通信状況地図画像の例である。通信状況地図画像は、食堂２０を上から見た平面図で、実際に即してテーブル２７や椅子２８が表示される。ベースとなる通信状況地図画像は、記憶部１１０に記憶される。
【０１１６】
テーブル２７の各ＩＤの位置には、通信状況を分かりやすくパターンで表すために、円形の通信状況マーカーＭが設けられる。取得された各ＩＤの通信状況値に応じた模様や色のパターンで、通信状況マーカーＭが表示される。通信状況値に対応する通信状況マーカーの各表示パターンが、上段に横一列で示される。
【０１１７】
ＩＤ：００００１の位置では、通信状況値が９０％以上である。ＩＤ：００００１は、無線ＬＡＮ基地局２２に近い位置であるため、通信状況が良好である。ＩＤ：００００２の位置では、通信状況値が６０％である。ＩＤ：００００２は、無線ＬＡＮ基地局２２からやや遠い位置であるため、通信状況は中程度である。ＩＤ：００００３の位置では、通信状況値が３０％である。ＩＤ：００００３の位置は、ＩＤ：００００２よりも遠いため、通信状態が悪い。
【０１１８】
また、各ＩＤに対応する通信状況マーカーＭに隣接する椅子２８には、着席フラグのデータに基づき、着席されているか否かが表示される。着席状態であれば黒く表示される。これにより、テーブル２７の各ＩＤの席が空いているか使用中であるかが分かる。図１９の例では、ＩＤ：００００１、ＩＤ：００００２、ＩＤ：００００３以外は、空席であることが示される。
【０１１９】
また、通信状況地図画像には、いくつかの表示モードが用意される。表示モードとして詳細モードが選択された場合は、図１９に示すように、各ＩＤの平均往復時間や平均受信電波感度が表示される。表示モードが標準モードであれば、平均往復時間や平均受信電波感度の表示は省略される。
【０１２０】
ＩＤ：００００１において、平均往復時間６０ｍｓｅｃ、平均受信電波感度−３４ｄＢｍであることが示される。また、ＩＤ：００００２の位置では、平均往復時間８６ｍｓｅｃ、受信電波感度−６５．６ｄＢｍである。ＩＤ：００００３の位置では、平均往復時間１２０ｍｓｅｃ、受信電波感度−７９ｄＢｍである。
【０１２１】
詳細モードを表示するために、ログイン処理部３００やせり処理部３０２は電文に受信電波感度数値を付加する。通信状況集計部１０６は、送信された受信電波感度をせり制御部１０４から取得し、通信状況一次テーブル１１０ｃに受信電波感度列を書き込む（図１４参照）。
【０１２２】
通信状況集計部１０６は、受信電波感度の平均値を集計し、平均値を平均受信電波感度として通信状況テーブル１１０ｄに書込む。図２０は、平均受信電波感度を含む通信状況テーブル１１０ｄの例である。通信状況表示制御部１０８は、通信状況テーブル１１０ｄを参照して、平均受信電波感度を通信状況地図画像に書き込む。
【０１２３】
なお、エリアＬは、無線ＬＡＮ基地局２２とＩＤ：００００４を結ぶ直線に沿った一定幅のエリアを示し、後述する「他の会員の影響を考慮した通信状況地図画像」で説明する。
【０１２４】
会員は、モバイル端末３０で、食堂の現在の通信状況地図画像を確認することで、現に空いている席の中から、最も通信状況の良好な席を簡単に探すことができる。会員は、その席でせりを行うことで、モバイル端末を使用しても、会場内と同様に安心してせりに参加することができる。
【０１２５】
さらに、通信状況地図画像の表示モードは、オプションがありいろいろな分析ができる。以下、それを説明する。
【０１２６】
〈端末台数毎の通信状況地図画像表示〉
通信状況地図画像のオプションの１つとして、モバイル端末３０の台数ごとの通信状況地図画像を表示することができる。食堂２０内のような狭いエリアでの通信品質は、モバイル端末３０の台数に影響される可能性があり、同時に使用されるモバイル端末３０の台数が増加すると、一般的に、通信の往復時間が長くなり通信品質は低下する傾向にある。そこで、台数ごとの通信状況地図画像を表示することで、通信状況をより的確に知らせることができる。
【０１２７】
図１４で説明したように、通信状況一次テーブル１１０ｃには、通信状況集計部１０６により、食堂２０内でせりの参加しているモバイル端末３０の台数が書き込まれる。端末台数毎の通信状況地図画像の作成オプションが選択された場合には、通信状況集計部１０６は、図２１に示すような、端末台数毎に通信状況テーブル１１０ｄを作成する。
【０１２８】
図２１（Ａ）は、端末台数が１０台の場合の、ＩＤ：００００１〜ＩＤ：００００３の通信状況テーブル１１０ｄである。図２１（Ｂ）は、端末台数が１１台の場合の通信状況テーブル１１０ｄである。図２１（Ｃ）は、端末台数が１２台の場合の通信状況テーブル１１０ｄである。なお、「ｎｕｌｌ」は、該当するデータが無かったことを示す。
【０１２９】
図２２は、端末台数が１０台の場合の通信状況地図画像である。図２１（Ａ）の通信状況テーブル１１０ｄに基づいて作成された通信状況地図である。図２３は、端末台数が１１台の場合の通信状況地図画像である。図２１（Ｂ）の通信状況テーブル１１０ｄに基づいて作成された通信状況地図である。図２４は、端末台数が１２台の場合の通信状況地図画像である。図２１（Ｃ）の通信状況テーブル１１０ｄに基づいて作成された通信状況地図画像である。  
【０１３０】
会員は、端末台数に応じた食堂の通信状況地図画像を確認することで、より精度よく通信状況の良好な席を簡単に探すことができる。
【０１３１】
〈他の会員の影響を考慮した通信状況地図画像表示〉
通信状況地図画像の別なオプションとして、他の会員の影響を考慮した通信状況地図画像を表示することもできる。通信状況、往復平均時間、平均受信電波感度は、周囲の会員の影響を受ける可能性も高い。人間は電波の遮蔽物になるため、無線ＬＡＮ基地局２２とモバイル端末３０の間に、他の会員がいると、通信が阻害されるおそれがあるからである。
【０１３２】
そこで、他会員による影響がある場合の地図と影響のない場合の地図を、分けて作成、表示する。図１９で示す食堂２０の例では、ＩＤ：００００４と天井に配置された無線ＬＡＮ基地局２２を結ぶ直線間（エリアＬ）にＩＤ：００００２、ＩＤ：００００５、ＩＤ：００００６ 、ＩＤ：００００８、 ＩＤ：００００９等が存在する。そのため、無線ＬＡＮ基地局２２を見通す直線上の位置、例えばＩＤ：００００２にいる他会員が着席しないで立っている場合には、この会員が邪魔になって、ＩＤ：００００４の受信電波感度が悪化するおそれがある。
【０１３３】
このような場合があるので、通信状況集計部１０６は、各ＩＤで、当該ＩＤから無線ＬＡＮ基地局２２までの見通しを阻害する位置に立っている他の会員がいる場合の通信状況を集計して、他会員の影響有の地図を作成する。
【０１３４】
例えば、ＩＤ：００００４については、通信状況集計部１０６は、通信状況一次テーブル１１０ｃから、ＩＤ：００００２の着席フラグが０(非着席)の状態であった場合のＩＤ：００００４について通信状況値、往復平均時間、平均受信電波感度を集計する。
【０１３５】
図２５は、他会員の影響有の地図を作成する場合の、通信状況一次テーブル１１０ｃの例である。左端の項目は、各レコードの番号である。ここでは、通信状況集計部１０６は、着席フラグが０(非着席)のＩＤ：００００２のレコード（レコードＮｏ２及びＮｏ６）で挟まれたＩＤ：００００４のレコード（レコードＮｏ５）を抽出する。レコードＮｏ３の時点では、ＩＤ：００００２の会員は立っていたと推定されるからである。通信状況集計部１０６は、レコードＮｏ３におけるＩＤ：００００４の通信状況値、往復平均時間、平均受信電波感度を集計する。
【０１３６】
なお、ＩＤ：００００２だけでなく、見通し直線（エリアＬ）上に近いＩＤ：００００１、ＩＤ：００００５〜ＩＤ：００００９の着席状態を条件としてもよい。同じようにＩＤ：００００４以外のＩＤについても通信状況値、往復平均時間、平均受信電波感度を集計して、他会員影響ありの通信状況テーブル（平均受信電波感度含む）を作成し、他会員影響ありの通信状況地図情報を作成する。
【０１３７】
他会員の影響なしの地図を作成する場合は、通信状況集計部１０６は、通信状況一次テーブル１１０ｃから、影響を受けるＩＤ：００００２等が着席状態での、ＩＤ：００００４のレコードを集計する。あるいは、ＩＤ：００００２の着席フラグが０(非着席)で挟まれていない期間での、ＩＤ：００００４のレコードを抽出してＩＤ：００００４の通信状況値、往復平均時間、平均受信電波感度を集計してもよい。ＩＤ：００００２だけでなく、見通し直線上に近いＩＤ：００００１、ＩＤ：００００５〜ＩＤ：００００９で、着席されていることを条件としてもよい。
【０１３８】
通信状況集計部１０６は、同じようにＩＤ：００００４以外のＩＤについても通信状況値、往復平均時間、平均受信電波感度を集計して、同様の他会員の影響なしの通信状況テーブル１１０ｄ（平均受信電波感度含む）を作成する。通信状況集計部１０６は、他会員の影響なしの通信状況テーブル１１０ｄから、他会員の影響なしの通信状況地図画像を作成する。
【０１３９】
このように、他の会員の影響による通信状況地図画像が表示されれば、会員は、現在の席が他の会員の影響を受けやすい場所であるか否かを簡単に判断できるので、他の影響を受けにくい場所が空いていればその場所に移動する等の選択をすることができるようになる。
【０１４０】
以上、通信状況表示の説明につき、せり会場を例にしたが、通信状況表示は、モバイル端末を利用するサービス、学校等の食堂や会議室へも広く適用可能である。
【０１４１】
なお、本発明は上述した実施形態そのままに限定されるものではなく、実施段階でのその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素を適宜組み合わせても良い。さらに、異なる実施形態にわたる構成要素を適宜組み合わせてもよい。このような、発明の趣旨を逸脱しない範囲内において種々の変形や応用が可能であることはもちろんである。
【符号の説明】
【０１４２】
１    せりシステム
１０  せりサーバ      
１２  せり人／調整人卓
１３  せり調整処理部    
１４  Ｌ３スイッチ
１５  購買店端末
１６  大型表示器  
２０  食堂
２２  無線ＬＡＮ基地局
２４  近距離無線デバイス
２６  圧力センサー
２７  テーブル
２８  椅子
３０  モバイル端末
１０２    ログイン制御部
１０４    せり制御部
１０６    通信状況集計部
１０８    通信状況表示制御部
１１０    記憶部
１１０ａ  会員テーブル
１１０ｂ  位置テーブル
１１０ｃ  通信状況一次テーブル
１１０ｄ  通信状況テーブル
１１０ｅ  着席状況テーブル
３００    ログイン処理部
３０２    せり処理部
３０４    通信状況表示部
３０６    近距離無線通信部
３０８    圧力センサー検出部
【図３】
2016096399.tif 000003
【図４】
2016096399.tif 000004
【図５】
2016096399.tif 000005
【図６】
2016096399.tif 000006
【図７】
2016096399.tif 000007
【図９】
2016096399.tif 000008
【図１０】
2016096399.tif 000009
【図１２】
2016096399.tif 000010
【図１３】
2016096399.tif 000011
【図１４】
2016096399.tif 000012
【図１５】
2016096399.tif 000013
【図１６】
2016096399.tif 000014
【図１７】
2016096399.tif 000015
【図１８】
2016096399.tif 000016
【図２０】
2016096399.tif 000017
【図２１】
2016096399.tif 000018
【図２５】
2016096399.tif 000019
【図１】
2016096399.tif 000020
【図２】
2016096399.tif 000021
【図８】
2016096399.tif 000022
【図１１】
2016096399.tif 000023
【図１９】
2016096399.tif 000024
【図２２】
2016096399.tif 000025
【図２３】
2016096399.tif 000026
【図２４】
2016096399.tif 000027
【図２６】
2016096399.tif 000028
【図２７】
2016096399.tif 000029
【図２８】
2016096399.tif 000030